(57)【要約】【課題】刈取部の多条刈化に伴うフレームの支持強度を高め、穀稈の詰まりなどに対する強度を十分に確保する。【解決手段】刈取縦伝動ケース（１６）と引起し横伝動ケース（２０）を右連結フレーム（２２）で連結し、引継ぎ用の搬送装置（１２）の挟持レール（１２ｂ）を支持する支持部材（１３）を引起し縦伝動ケース（１９）の途中部から後方に延出する左連結フレーム（２１）に連結し、左連結フレーム（２１）と右連結フレーム（２２）とを搬送装置（１２）の搬送経路を跨ぐアーチ型横フレーム（２３）で連結し、アーチ型横フレーム（２３）を、引起し縦伝動ケース（１９）上部の引起変速ギヤケース（１８）よりも下側の上下方向途中部から後方に延出させた補強フレーム（２４）の後端部に連結する。【選択図】図６
2011188812.tif 000002
【特許請求の範囲】
【請求項１】
脱穀部（３）の前側に左右横方向に架設された入力伝動ケース（１５）から前方下方に向けて延出する昇降回動可能な刈取縦伝動ケース（１６）と、該刈取縦伝動ケース（１６）の前端部から左右横方向に延設する刈取横伝動ケース（１７）と、該刈取横伝動ケース（１７）の左端部から上方に向けて延出して上部に引起変速ギヤケース（１８）を連設する引起し縦伝動ケース（１９）と、該引起し縦伝動ケース（１９）の上端部から右横方向に延出して多数条分の穀稈引起し装置（８）を上部から駆動する引起し横伝動ケース（２０）を備え、前記刈取縦伝動ケース（１６）と引起し横伝動ケース（２０）を右連結フレーム（２２）で連結し、刈取後の合流穀稈を脱穀部（３）に引継ぎ搬送する搬送装置（１２）の挟持レール（１２ｂ）を支持する支持部材（１３）を引起し縦伝動ケース（１９）の途中部から後方に延出する左連結フレーム（２１）に連結して保持し、前記左連結フレーム（２１）と右連結フレーム（２２）とを前記搬送装置（１２）の搬送経路を跨ぐアーチ型横フレーム（２３）で連結すると共に、該アーチ型横フレーム（２３）を、引起し縦伝動ケース（１９）の引起変速ギヤケース（１８）よりも下側の上下方向途中部から後方に延出させた補強フレーム（２４）の後端部に連結して保持したことを特徴とするコンバインの刈取部。
【請求項２】
前記アーチ型横フレーム（２３）に、後方の脱穀部（３）前面側を照射する作業灯（２７）を設置したことを特徴とする請求項１記載のコンバインの刈取部。
【請求項３】
前記アーチ型横フレーム（２３）の左側基部には、脱穀フィードチェン（５）の内側に配設された引継ぎチェン（６）への引継ぎガイド棒（２９）を前記補強フレーム（２４）上から後方に延出させて設けたことを特徴とする請求項１又は請求項２記載のコンバインの刈取部。
【発明の詳細な説明】
【技術分野】
【０００１】
この発明は、多条刈用のコンバインの刈取部に関する。
【背景技術】
【０００２】
特許文献１には、多条刈コンバインにおける刈取部において、脱穀部の前側から前方下方に延出する縦伝動ケースと、縦伝動ケースの前端部から左右振り分け状に延出する横伝動ケースと、横伝動ケースの上方に並列状に配置される引起し横伝動ケースと、横伝動ケース及び引起し横伝動ケースの左端同士を連結する引起し縦伝動ケースと、縦伝動ケースと引起し横伝動ケースを連結する右フレーム部と、引起し縦伝動ケースから前方に延出する左フレーム部と、左右フレーム部を連結する横フレーム部と、左フレーム部と横フレーム部の連結部から前方に延出して引起し横伝動ケースに連結される中フレーム部を備えた刈取部が開示されている。
【先行技術文献】
【特許文献】
【０００３】
【特許文献１】特開２００９−２５４３２０号公報
【発明の概要】
【発明が解決しようとする課題】
【０００４】
６条以上の多条刈コンバインを開発する場合、例えば、特許文献１に示された８条刈の刈取部を備えたコンバインを構成するにあたっては、できる限り各部装置の部品共用化を図るため、既存の刈取部をベースとして、１条又は複数条分を追加構成する手段が提案されている。ところが、これによると、刈取合流後の穀稈搬送量は当然ながらその追加分だけ多くなるが、特に、脱穀部への引継ぎ搬送部では詰まりが発生し易く、過負荷によって搬送経路の挟持レールが大きく開き、挟持レールの支持部材をも変形させ、以後の搬送機能を不能にする虞れがある。
【課題を解決するための手段】
【０００５】
この発明は、上記課題を解決することを目的とするものであって、次のような技術的手段を講じた。
【０００６】
すなわち、請求項１記載の発明は、脱穀部（３）の前側に左右横方向に架設された入力伝動ケース（１５）から前方下方に向けて延出する昇降回動可能な刈取縦伝動ケース（１６）と、該刈取縦伝動ケース（１６）の前端部から左右横方向に延設する刈取横伝動ケース（１７）と、該刈取横伝動ケース（１７）の左端部から上方に向けて延出して上部に引起変速ギヤケース（１８）を連設する引起し縦伝動ケース（１９）と、該引起し縦伝動ケース（１９）の上端部から右横方向に延出して多数条分の穀稈引起し装置（８）を上部から駆動する引起し横伝動ケース（２０）を備え、前記刈取縦伝動ケース（１６）と引起し横伝動ケース（２０）を右連結フレーム（２２）で連結し、刈取後の合流穀稈を脱穀部（３）に引継ぎ搬送する搬送装置（１２）の挟持レール（１２ｂ）を支持する支持部材（１３）を引起し縦伝動ケース（１９）の途中部から後方に延出する左連結フレーム（２１）に連結して保持し、前記左連結フレーム（２１）と右連結フレーム（２２）とを前記搬送装置（１２）の搬送経路を跨ぐアーチ型横フレーム（２３）で連結すると共に、該アーチ型横フレーム（２３）を、引起し縦伝動ケース（１９）の引起変速ギヤケース（１８）よりも下側の上下方向途中部から後方に延出させた補強フレーム（２４）の後端部に連結して保持したことを特徴とするコンバインの刈取部とする。
【０００７】
刈取縦伝動ケース（１６）、引起し縦伝動ケース（１９）及び引起し横伝動ケース（２０）は、左連結フレーム（２１）および右連結フレーム（２２）と、アーチ型横フレーム（２３）によって安定良く強固に連結保持される。
【０００８】
搬送装置（１２）の搬送チェン（１２ａ）に対設する挟持レール（１２ｂ）を支持する支持部材（１３）は、アーチ型横フレーム（２３）と引起し縦伝動ケース（１９）の途中部に連結させた補強フレーム（２４）とによって連結保持するので、穀稈の詰まりなどに対する強度を十分に確保することができる。また、補強フレーム（２４）は、引起し縦伝動ケース（１９）の途中部にあっても、上部の引起変速ギヤケース（１８）位置を避けた下側位置に連結するものであるため、この引起変速ギヤケース（１８）内のメンテナンスが容易に行える。
【０００９】
請求項２記載の発明は、前記アーチ型横フレーム（２３）に、後方の脱穀部（３）前面側を照射する作業灯（２７）を設置したことを特徴とする請求項１記載のコンバインの刈取部とする。
【００１０】
作業灯（２７）は、上方に高く横たわるアーチ型横フレーム（２３）に設置するようにしたので、左側上方から右側下方に向けて脱穀部（３）への入口部を効果的に照射することができ、枕扱ぎ時の作業者にとっては眩しさが軽減され、夕暮れ時の作業にあっても枕扱ぎ作業を能率よく行うことができる。
【００１１】
請求項３記載の発明は、前記アーチ型横フレーム（２３）の左側基部には、脱穀フィードチェン（５）の内側に配設された引継ぎチェン（６）への引継ぎガイド棒（２９）を前記補強フレーム（２４）上から後方に延出させて設けたことを特徴とする請求項１又は請求項２記載のコンバインの刈取部とする。
【００１２】
アーチ型横フレーム（２３）の左側基部は、補強フレーム（２４）によって強固に保持されているので、引継ぎチェン（６）部へ延出する引継ぎガイド棒（２９）を安定よく支持することができ、引継ぎガイド棒（２９）と引継ぎチェン（６）との間における穀稈の挟持が確実となり、稈こぼれが生じにくくなる。
【発明の効果】
【００１３】
請求項１記載の発明によれば、刈取縦伝動ケース（１６）、引起し縦伝動ケース（１９）及び引起し横伝動ケース（２０）は、左連結フレーム（２１）および右連結フレーム（２２）とアーチ型横フレーム（２３）によって安定良く強固に連結して保持することができ、挟持レール（１２ｂ）の支持部材は、アーチ型横フレーム（２３）と引起し縦伝動ケース（１９）の途中部に連結させた補強フレーム（２４）とによって連結して保持するので、穀稈の詰まりなどに対する強度を十分に確保することができる。また、補強フレーム（２４）は、引起し縦伝動ケース（１９）の途中部に連結するものであっても、上部の引起変速ギヤケース（１８）よりも下側の部位に連結するものであるため、この引起変速ギヤケース（１８）のメンテナンスが行い易くなる。
【００１４】
請求項２記載の発明によれば、請求項１の発明効果を奏するものでありながら、作業灯（２７）は、強固に保持されたアーチ型横フレーム（２３）を利用して設置するようにしたので、取付位置の選定が容易で脱穀部（３）への入口部を効果的に照射することができ、夜間作業であっても枕扱ぎ作業を能率よく行うことができる。
【００１５】
請求項３記載の発明によれば、請求項１又は請求項２記載の発明の効果を奏するものでありながら、アーチ型横フレーム（２３）の左側基部は、補強フレーム（２４）によって強固に保持されているので、これより引継ぎチェン（６）部へ延出する引継ぎガイド棒（２９）を安定よく支持することができ、引継ぎガイド棒（２９）と引継ぎチェン（６）との間における穀稈の挟持が狂いなく確実に行え、稈こぼれをなくし引継ぎ性能を良好に保持することができる。
【図面の簡単な説明】
【００１６】
【図１】コンバインの左側面図
【図２】コンバインの右側面図
【図３】コンバインの平面図
【図４】コンバインの正面図
【図５】刈取部の支持構造を示す要部の側面図
【図６】同上要部の平面図
【図７】刈取脱穀部の要部の側面図
【図８】同上一部の平面図
【図９】コンバインの動力伝達経路図
【図１０】コンバイン要部の平面図
【図１１】コンバイン要部の平面図
【図１２】搬送部の平面図
【図１３】同上要部の側面図
【図１４】搬送部の要部の平面図
【図１５】同上要部の側面図
【図１６】同上要部の背面図
【図１７】同上搬送部要部の背面図
【図１８】コンバイン要部の斜視図
【図１９】コンバイン要部の正面図
【発明を実施するための形態】
【００１７】
この発明の実施例を図面に基づき説明する。
【００１８】
図１〜図４は、多条刈コンバインを示すものであり、この走行車体１には、左右一対の走行クローラ２，２を備え、後部に搭載した脱穀装置（脱穀部）３の前方部に刈取部４を設置し，刈取部４の横側部には運転席や操作ボックス等を有するキャビンＣを備え、更に、そのキャビンＣ後方には脱穀粒を一時的に貯留するグレンタンクＧを装備している。
【００１９】
脱穀部３は、扱室内に供給された穀稈を回転する扱胴３ａによって脱穀する構成であり、扱室の一側に脱穀フィードチェン５が張設され、該フィードチェン５の始端側内側には引継ぎチェン６が装備されている。
【００２０】
刈取部４は、立毛する穀稈を左右に分草する分草体７，７…と、分草後の穀稈を引き起す７条分の穀稈引起し装置８…と、引起し後の穀稈を刈り取るバリカン式の刈取装置９と、刈取後の穀稈を掻込搬送する掻込搬送装置１０と、掻込搬送後の穀稈を引き継いで挟持搬送し後方の脱穀部３に向けて揚上搬送する穀稈合流搬送装置１１等からなり、車体に対して上下に昇降可能で前後方向に沿わせて設けた刈取縦伝動ケース１６及び該刈取縦伝動ケース１６の先端に左右横方向に振り分けて設けた刈取横伝動ケース１７に装備している。また、前記刈取縦伝動ケース１６は、脱穀部前側の車体側に架設した刈取入力軸１４を内装軸架せる入力伝動ケース１５支点として上下動する構成であり、該ケース１６内には刈取部の各部に回転動力を伝達する伝動軸が軸装されている。
【００２１】
刈取装置や掻込搬送装置等を駆動する刈取横伝動ケース１７の左端部からは、これより上方に向けて延出されて上部に引起し速度の変速が可能な引起変速ギヤケース１８を連設した引起し縦伝動ケース１９を立設し、引起し縦伝動ケース１９の上端部から左右横方向に延出されて多数条の穀稈引起し装置８，８…を上部から駆動する引起し横伝動ケース２０を装備して動力伝達可能に連動連結した構成としている。前記刈取縦伝動ケース１６と引起し横伝動ケース２０は右連結フレーム２２によって連結構成している。刈取後の合流穀稈を脱穀部３に引継ぎ搬送する搬送装置１１の搬送チェン１２ａに対する挟持レール１２ｂを押圧作動自在に支持する支持部材１３は、前記引起し縦伝動ケース１９の途中部から後方に延出する左連結フレーム２１にて連結保持すると共に、この左右の連結フレーム２１，２２は、前記搬送装置１１の搬送経路を跨ぐアーチ型横フレーム２３にて連結保持した構成としている。そして、更に該アーチ型横フレーム２３は、引起し縦伝動ケース１９の引起変速ギヤケース１８より下側位置から後方に延出させた補強フレーム２４によって強固に連結保持させた構成になっている。
【００２２】
なお、前記挟持レール１２ｂは、搬送チェン１２ａ側に常時弾発付勢してあり、穀稈量に応じて押圧作動するようになっている。
【００２３】
前記アーチ型横フレーム２３には、脱穀部前面の入口部を照射する作業灯２７や穀稈の長短を検出する扱深さセンサ２８などが設置されている。
【００２４】
また、アーチ型横フレーム２３の左側基部には、搬送チェン１２ａからの穀稈を脱穀部の引継ぎチェン６へ引継ぎ案内するための引継ぎガイド棒２９が前記補強フレーム２４上から後方に向けて延出され該チェン６上に対設されている。また、前記挟持レールの支持部材１３からは脱穀フィードチェン５への引継ぎ挟持プレート３０が延設されている。
【００２５】
図９はコンバインの動力伝達経路図を示すものであるが、エンジンＥからの回転動力によって脱穀部３の諸装置（扱胴、処理胴、排ワラ搬送、選別、穀粒搬送）を駆動、更に、刈取ＨＳＴ３２を介して引継ぎチェン６及び刈取部４の刈取入力軸１４を駆動するように連動構成している。
【００２６】
次に図１０及び図１１に示す実施例について説明する。
【００２７】
図例に示す各分草体７，７…は、刈取装置９側、即ち刈取横伝動ケース１７から前方に突設する分草支持杆の先端に取り付けられ、右端側（既刈地側）から分草体７ａ，７ｂ間に２条分の穀稈が導入され、分草体７ｂ，７ｃ間には１条分の穀稈が導入され、分草体７ｃ，７ｄ間及び７ｄ，７ｅ間はそれぞれ２条分の穀稈が導入されるようになっている。
【００２８】
掻込搬送装置１０は、株元掻込搬送体Ｋ１〜Ｋ４と穂先係止搬送体Ｈ１〜Ｈ４とからなり、前記各分草体間から導入された７条分の刈取穀稈が後方に向けて掻込搬送され、後方の合流搬送装置１１の始端側に合流されるようになっている。  右側の穂先係止搬送体Ｈ１の配置において、この搬送体Ｈ１の作用角度θ１を株元掻込搬送体Ｋ１と平行で、且つこれより内側の穂先係止搬送体Ｈ２の作用角θ２よりも鋭角に（図１０参照）配置している。また、穂先係止搬送体Ｈ１の搬送作用長さＬ１は、穂先係止搬送体Ｈ２の作用長さＬ２よりも短く（図１１参照）した構成としている。これにより、右側穂先搬送部をコンパクトに配置構成することができ、搬送性能をアップさせることが可能となる。
【００２９】
図１０に示す７条標準（内地）仕様では、左側の穂先係止搬送体Ｈ４とその内側のＨ３とは、Ｈ４´及びＨ３´の２段構成としてあり、図１１に示す北海道仕様では、穂先係止搬送体Ｈ１〜Ｈ４はいずれも１段構成としている。
【００３０】
合流搬送装置１１は、株元挟持搬送体Ａ１及びＡ２と穂先係止搬送体Ｂ１及びＢ２とからなり、株元挟持搬送体Ａ１と穂先係止搬送体Ｂ１の右側では掻込搬送後の４条分の刈取穀稈を引き継いで搬送する構成であり、搬送体Ａ１，Ｂ１の左側では、掻込搬送後の３条分の刈取穀稈を引き継いで搬送する構成になっている。そして、引継ぎ合流後の穀稈は、株元挟持搬送体Ａ２（搬送装置１２）と穂先係止搬送体Ｂ２とによって揚上搬送され、終端部から脱穀部３の脱穀フィードチェン５及び引継ぎチェン６に引継ぎ搬送されるようになっている。なお、合流搬送装置１１の途中部には扱深さ調節用搬送体３４が具備されている。
【００３１】
分草・引起し後の穀稈は刈取装置（９）によって株元部から切断される。そして、刈取後の穀稈は、導入された７条分が各掻込搬送装置（１０），（１０）…によって後方に掻込搬送されて後方の合流搬送装置（１１）に合流される。合流後はこの合流搬送装置によって揚上搬送され、終端部から脱穀部３に受け継がれることになる。
【００３２】
図１２、図１３に示すように、搬送チェン１２ａに対設する挟持レール１２ｂは、スライドロッド１２ｃと支持部材１３内に介装された張圧スプリングをかいして挟持方向にスライドする構成であり、しかも、この挟持レール１２ｂは支持部材１３と共に一体で着脱できるように構成している。つまり、支持部材１３の左連結フレーム２１に対する取付部材３５は、フレーム２１側３５Ａと支持部材１３側３５Ｂとに分割してあり、取付部材３５Ａは左連結フレーム２１にボルト・ナットで締付固定し、取付部材３５Ｂは、左右の起立壁ａ，ｂと底壁ｃとからなる上向きのコの字型に形成されて支持部材１３を上側から嵌め込みできるように構成してあり、そして、この嵌め込んだ支持部材１３を係脱自在なロック解除機構により係止固定する構成としている。つまり、取付部材３５Ｂには、支持部材１３に対して係脱自在なロックプレート３６がヒンジ３６ａを介して揺動開閉自在に設けられ、支持部材１３側には、支点Ｐを中心としてロックピン３７に係合するロック状態とロックピン３７から離脱するロック解除状態とに切替可能なロックレバー３８と、ロックレバー３８をロック状態位置で固定するノブボルト３９を備えている。
【００３３】
従って、図１４に示すノブボルト３９を外し、ロックレバー３８をロック状態から仮想線で示すロック解除状態位置まで回動操作することでロックを解除することができる。そして、支持部材１３に対して上側から係止状態のロックプレート３６を図１６に示す係止解除状態に退避させると、支持部材１３は取付部材３５Ｂから持ち上げながら簡単に引き出すことができる。
【００３４】
なお、前記ロックレバー３８は、支持部材１３に対して前方側に握り部３８ａを配置することで、枕扱ぎ時のワラの引っ掛りを防止でき、また、ロック解除位置で平面視で支持部材に対して穀稈搬送経路側に突出しないように構成することで、ワラ詰まり時のロック解除が容易に行える。
【００３５】
また、図１７に示すように、ワラ詰まり時、支持部材１３にかかるＦ方向の力はコの字型取付部材の左側起立壁部ａによって受けるようにし、ロックレバー３８には外力が働かないように構成している。また、底壁部ｃには支持部材１３の下向きの荷重を受けるストッパプレート４４が設けられ、更に、右側起立壁部ｂには規制ピン４５が設けられている。従来ではロックレバーで詰まり時のスプリング圧縮荷重を受けているため、ロックレバーを解除した途端に支持部材とロックレバーが飛び出していた。また、ロックレバーで荷重を受ける構成のため、ロック解除時の操作力が詰まり具合に応じて重くなっていた。本例による場合は、ロックレバー、ロックプレートを解除しても、意図的に支持部材を持ち上げない限り外れないため、手をぶつけたりすることがなくなる。ロックレバーで荷重を受けないため、ロック解除時の操作力も変化がなく比較的軽く行える。
【００３６】
図１２及び図１３に示すように、取付部材３５Ｂは、取付部材３５Ａに対し上下方向と挟持方向の調整ができるように構成している。取付部材３５Ａには上下方向の長穴４０と挟持方向の長穴４１が設けられ、それぞれが締付具４３によって調整可能に締付固定されている。これによると、挟持レールの搬送チェンに対する上下方向の調整並びに挟持（挟圧）方向の調整を簡単に行うことができる。
【００３７】
また、図１２に示すように、支持部材１３の長穴４１に対する締付固定位置が標準時セット位置とすると、これより搬送方向上手側にずれた位置に短稈調整用長穴４２を設けることによって短稈時セット位置とすることができ、いずれかのセット位置選択によって挟持位置を変更し扱ぎ深さの長短稈調整を行うことができる。
【００３８】
図１８、図１９に示す実施例は、７条刈コンバインの刈取部において、最右側に位置する引起し装置８の外側に回動式の分草ガイド４７を設けた構成としている。最右側引起しケース８Ｒの横側より分草ガイドを支持する支持プレート４８を配置すると共に、その支持プレート４８と引起し横伝動ケース２０とを連結する支持ステー４９を設けた構成としている。分草ガイド４７は、前方に向けての起立姿勢と内側方向に向けての傾倒姿勢とに回動切替自在な構成とし、分草する穀稈の植立姿勢によって適宜切替変更することで分草機能を高めるようにしている。特に、長稈の刈取時などには、最右側に入ってくる穀稈の穂先側を中央側に寄せながらガイドすることができ、合流搬送時の穂先遅れを防止できて搬送姿勢が安定する。
【符号の説明】
【００３９】
３    脱穀部
４    刈取部
５    脱穀フィードチェン
６    引継ぎチェン
８    穀稈引起し装置
１２    搬送装置
１２ａ  搬送チェン
１２ｂ  挟持レール
１３    支持部材
１５    入力伝動ケース
１６    刈取縦伝動ケース
１７    刈取横伝動ケース
１８    引起変速ギヤケース
１９    引起し縦伝動ケース
２０    引起し横伝動ケース
２１    左連結フレーム
２２    右連結フレーム
２３    アーチ型横フレーム
２４    補強フレーム
２７    作業灯
２９    引継ぎガイド棒
【図１】
2011188812.tif 000003
【図２】
2011188812.tif 000004
【図３】
2011188812.tif 000005
【図４】
2011188812.tif 000006
【図５】
2011188812.tif 000007
【図６】
2011188812.tif 000008
【図７】
2011188812.tif 000009
【図８】
2011188812.tif 000010
【図９】
2011188812.tif 000011
【図１０】
2011188812.tif 000012
【図１１】
2011188812.tif 000013
【図１２】
2011188812.tif 000014
【図１３】
2011188812.tif 000015
【図１４】
2011188812.tif 000016
【図１５】
2011188812.tif 000017
【図１６】
2011188812.tif 000018
【図１７】
2011188812.tif 000019
【図１８】
2011188812.tif 000020
【図１９】
2011188812.tif 000021